(57)【要約】【課題】風向調整用のウイング板の位置や姿勢の変更の自由度が高いエアコン用風向調整具を提供する。【解決手段】エアコン９またはその近傍部分に取り付けられるベース部１と、このベース部１に支持部材３を介して支持された風向調整用のウイング板２と、を備えているエアコン用風向調整具Ａであって、支持部材３とベース部１との第１の連結部５Ａ、および支持部材３とウイング板２との第２の連結部５Ｂは、ボール３１ａ，３１ｂとこのボール３１ａ，３１ｂに相対して球面摺動可能なホルダ５０Ａ，５０Ｂとを備えた連結構造とされ、かつ支持部材３は、ベース部１およびウイング板２に対して第１および第２の連結部５Ａ，５Ｂの各ボール３１ａ，３１ｂの中心点周りに相対揺動可能である。【選択図】  図２
2004324951.tif 000002
【特許請求の範囲】
【請求項１】
エアコンまたはその近傍部分に取り付けられるベース部と、このベース部に支持部材を介して支持された風向調整用のウイング板と、を備えているエアコン用風向調整具であって、
上記支持部材と上記ベース部との第１の連結部、および上記支持部材と上記ウイング板との第２の連結部のそれぞれは、ボールとこのボールに相対して球面摺動可能なホルダとを備えた連結構造とされ、かつ上記支持部材は、上記ベース部および上記ウイング板に対して上記第１および第２の連結部の各ボールの中心点周りに相対揺動可能であることを特徴とする、エアコン用風向調整具。
【請求項２】
上記支持部材は、ロッドの両端に上記ボールが設けられた構成を有しており、かつ上記ベース部および上記ウイング板には、上記ホルダが設けられている、請求項１に記載のエアコン用風向調整具。
【請求項３】
上記支持部材のロッドの一端部近傍は、上記ロッドの長手方向中間部に対して交差する方向に折り曲げられた第１の折曲部として形成され、かつ上記ロッドの他端部近傍は、上記第１の折曲部とは折り曲げ方向が反対の第２の折曲部として形成されている、請求項２に記載のエアコン用風向調整具。
【請求項４】
上記第１の折曲部は、上記第２の折曲部よりも長い寸法とされている、請求項３に記載のエアコン用風向調整具。
【請求項５】
上記ホルダは、上記ボールを挟むようにして互いに対向する一対のブロック片がネジ体を利用して連結された構成を有しており、かつ上記ネジ体の締めつけ力の変更によって上記ボールに対する上記一対のブロック片の圧接力が変更自在とされている、請求項１ないし４のいずれかに記載のエアコン用風向調整具。
【請求項６】
エアコンまたはその近傍部分に接着させるための金属板をさらに備えており、かつ上記ベース部には、上記金属板に磁力吸着可能なマグネットが保持されている、請求項１ないし５のいずれかに記載のエアコン用風向調整具。
【請求項７】
エアコンまたはその近傍部分に取り付けられるベース部と、このベース部に支持された風向調整用のウイング板と、を備えているエアコン用風向調整具であって、
上記エアコンまたはその近傍部分に接着させるための金属板を備えており、かつ上記ベース部には、上記金属板に磁力吸着可能なマグネットが保持されていることを特徴とする、エアコン用風向調整具。
【発明の詳細な説明】
【０００１】
【発明の属する技術分野】
本願発明は、エアコン（空気調和機）の送風口から吹き出される冷風あるいは温風などの風向を調整するのに用いられるエアコン用風向調整具に関する。
【０００２】
【従来の技術】
エアコン用風向調整具の従来例としては、特許文献１，２に記載のものがある。特許文献１に記載のものは、平板状のウイング板と、このウイング板をエアコンが設置されている部屋の天井に取り付けるための支持部材とを備えている。上記ウイング板と上記支持部材とは、たとえばボール状部材とこのボール状部材に対して球面摺動可能なホルダとからなる１つのジョイント部材を介して連結されており、上記支持部材に対する上記ウイング板の姿勢が変更可能となっている。このような構成によれば、上記支持部材を天井に取り付けることによって、上記ウイング板をエアコンの送風口の前方に配置させると、エアコンの送風口から吹き出される風は上記ウイング板に当たることとなるために、上記ウイング板の姿勢を調整することによって上記風の向きを適宜変更することができる。したがって、たとえばエアコンの送風口の近くに居る人にエアコンからの冷風が集中的に送風されるといったことを解消することができる。
【０００３】
特許文献２に記載のものは、平板状のウイング板に挟着クリップを取り付けたものであり、この挟着クリップとウイング板との間には、曲げ変形などが可能なジョイント部材が介在して設けられている。このような構成によれば、上記挟着クリップによってエアコンの送風口の適当な部分を挟むことにより上記ウイング板をエアコンに取り付けることができる。したがって、この上記ウイング板にエアコンから吹き出される風を当てることにより、やはりその向きを変更することが可能である。
【０００４】
【特許文献１】
実開昭５７−８９１４７号公報
【特許文献２】
実用新案登録第３０５６４４７号公報
【０００５】
【発明が解決しようとする課題】
この種のエアコン用風向調整具においては、ウイング板をエアコンの送風口の正面などに配置させて風向を変更する場合に、その風向をどのように変更するかは一律ではないため、実際に使用する際には、ウイング板の配置や姿勢を種々の態様に大きく変更できるようにすることが望まれる。その一方、ウイング板の取り付け支持はある程度の強度をもって確実に行われることも要請される。
【０００６】
ところが、上記特許文献１，２に記載のものでは、いずれもウイング板の取り付け位置や姿勢を大きな自由度で変更することができず、この点において不便を生じていた。より具体的には、特許文献１においては、ウイング板と支持部材とが、ボール状部材とこのボール状部材を球面摺動可能に保持するホルダとからなる１つのジョイント部材を介して連結する手段が記載されているが、このように１つのジョイント部材を用いただけでは、ウイング板の傾きをそのジョイント部材を中心として変更することができるに過ぎない。すなわち、たとえばエアコンの送風口の直下に配置されているウイング板を送風口の正面に移動させるなどといったウイング板の位置変更は困難である。特許文献１には、天井に取り付けられたスライドレールを利用してウイング板を位置変更する手段も記載されているが、このような手段は天井へのスライドレールの取り付け工事が必要となり、取り付け使用に際して甚だ不便である。また、特許文献２においても、挟着クリップとウイング板との間に１つのジョイント部材が介在して設けられているに過ぎないために、ウイング板を大きく位置変更することはやはり困難である。
【０００７】
また、特許文献１においては、ウイング板を支持する支持部材をネジなどを用いて天井に取り付けるようにしているために、その取り付けが面倒であるのに加え、天井に傷を付けるといった不具合も発生する。これに対し、特許文献２においては、挟着クリップを用いるために、特許文献１と比較するとその取り付けは容易である。ところが、この特許文献２における挟着クリップは、適度な薄さをもつ部分でなければ挟みつけることができないために、たとえばエアコンにそのような適度な薄さをもった部分が無ければ、取り付け使用が困難である。したがって、使用対象となるエアコンの構造が限られてしまい、この点においても不便を生じていた。
【０００８】
本願発明は、このような事情のもとで考え出されたものであって、風向調整用のウイング板の位置や姿勢の変更の自由度が高いエアコン用風向調整具を提供することをその課題としている。また、本願発明は、取り付け使用を簡単に行なうことが可能な利便性の高いエアコン用風向調整具を提供することを他の課題としている。
【０００９】
【発明の開示】
上記の課題を解決するため、本願発明では、次の技術的手段を講じている。
【００１０】
本願発明の第１の側面によって提供されるエアコン用風向調整具は、エアコンまたはその近傍部分に取り付けられるベース部と、このベース部に支持部材を介して支持された風向調整用のウイング板と、を備えているエアコン用風向調整具であって、上記支持部材と上記ベース部との第１の連結部、および上記支持部材と上記ウイング板との第２の連結部のそれぞれは、ボールとこのボールに相対して球面摺動可能なホルダとを備えた連結構造とされ、かつ上記支持部材は、上記ベース部および上記ウイング板に対して上記第１および第２の連結部の各ボールの中心点周りに相対揺動可能であることを特徴としている。
【００１１】
本願発明によれば、エアコンまたはその近傍部分に取り付けられるベース部に対して支持部材を種々の方向に揺動させることができるとともに、この支持部材に対してウイング板を種々の方向に揺動させることができる。したがって、上述したいずれの従来技術よりもウイング板の位置変更および姿勢変更に際しての自由度が高く、エアコンの送風口から吹き出される風の向きを所望の状態に調整する際の融通性に優れ、便利である。また、支持部材そのものを曲げ変更させる必要はないために、支持部材としては高強度のものを用いることができ、ウイング板の支持を安定させることもできる。
【００１２】
本願発明の好ましい実施の形態においては、上記支持部材は、ロッドの両端に上記ボールが設けられた構成を有しており、かつ上記ベース部および上記ウイング板には、上記ホルダが設けられている。このような構成によれば、上記支持部材に２つのボールを備えているために、それら２つのボールを分離した状態に形成する場合と比較すると、構成の簡素化や組み立て作業の容易化が図られる。また、上記ホルダについては、たとえば２つの合成樹脂製部材によって上記ボールを挟みつけるといった簡易な構造を採用することが可能となり、製造コストの低減化を図るのに好適となる。
【００１３】
本願発明の好ましい実施の形態においては、上記支持部材のロッドの一端部近傍は、上記ロッドの長手方向中間部に対して交差する方向に折り曲げられた第１の折曲部として形成され、かつ上記ロッドの他端部近傍は、上記第１の折曲部とは折り曲げ方向が反対の第２の折曲部として形成されている。このような構成によれば、支持部材を揺動させるときにこの支持部材をベース部に干渉し難くするとともに、ウイング板を揺動させるときにこのウイング板を支持部材に干渉し難くすることができる。したがって、ウイング板の位置変更や姿勢変更が可能な範囲を拡大するのにより好適となる。
【００１４】
本願発明の好ましい実施の形態においては、上記第１の折曲部は、上記第２の折曲部よりも長い寸法とされている。ウイング板の位置変更を行なう場合には、支持部材をベース部に対して比較的大きな角度で揺動させる必要があるが、上記構成によれば、第１の折曲部が長くされていることにより、支持部材がベース部に対して干渉し難くなっており、そのような必要性に的確に応えることができる。これに対し、第２の折曲部が短くされていれば、その分だけ支持部材の全長を短くし、ウイング板の支持を安定させることができる。
【００１５】
本願発明の好ましい実施の形態においては、上記ホルダは、上記ボールを挟むようにして互いに対向する一対のブロック片がネジ体を利用して連結された構成を有しており、かつ上記ネジ体の締めつけ力の変更によって上記ボールに対する上記一対のブロック片の圧接力が変更自在とされている。このような構成によれは、一対のブロック片がボールを回転不可能な程度に強く圧接させることによって、第１および第２の連結部のそれぞれを揺動不能な固定状態にすることが可能となる。したがって、ウイング板の位置や姿勢が一旦定まった後に、その位置や姿勢を変更する必要が無い場合には、上記状態に設定することによって、ウイング板の位置や姿勢がエアコンからの風などの影響によって不当に変更されないようにすることができる。
【００１６】
本願発明の第２の側面によって提供されるエアコン用風向調整具は、エアコンまたはその近傍部分に取り付けられるベース部と、このベース部に支持された風向調整用のウイング板と、を備えているエアコン用風向調整具であって、上記エアコンまたはその近傍部分に接着させるための金属板を備えており、かつ上記ベース部には、上記金属板に磁力吸着可能なマグネットが保持されていることを特徴としている。
【００１７】
このような構成によれば、上記金属板をエアコンまたはその近傍部分に接着させた後には、上記マグネットの磁力を利用して上記金属板にベース部を簡単に取り付けることができる。したがって、エアコンが設置されている部屋の天井にベース部をネジ止めするといった煩雑な手間は不要であり、その取り付けが容易である。また、簡単に取り外すこともでき便利である。さらに、ベース部を様々な部分に取り付けることができるために、使用対象となるエアコンの種類もとくに限定されず、いわゆる壁掛けタイプのものや、天井取り付けタイプのものなど、種々のエアコンに適用可能となる。
【００１８】
本願発明のその他の特徴および利点については、以下に行う発明の実施の形態の説明から、より明らかになるであろう。
【００１９】
【発明の実施の形態】
以下、本願発明の好ましい実施の形態について、図面を参照しつつ具体的に説明する。
【００２０】
図１〜図５は、本願発明に係るエアコン用風向調整具の一例を示している。図１によく表われているように、本実施形態のエアコン用風向調整具Ａは、ベース部１、ウイング板２、支持部材３、金属板４、および両面接着テープ４０を具備して構成されている。支持部材３の一端とベース部１どうし、および支持部材３の他端とウイング板２どうしは、後述するように、第１および第２の連結部５Ａ，５Ｂを介して相対揺動可能に連結されている。
【００２１】
ウイング板２は、合成樹脂製であり、エアコンの送風口から吹き出される風の少なくとも一部の向きを変更するのに十分な幅および長さ（たとえば幅１０〜１５ｃｍ程度、長さ４０〜６０ｃｍ程度）を有する略プレート状である。このウイング板２の縁部の一部には、起立したリブ２０が形成されている。このリブ２０は、ウイング板２の強度を高め、また体裁を良くするのに役立つ。ウイング板２の上面には、好ましくは、発泡樹脂シートが貼設されるなどして断熱層（図示略）が形成されている。このような構成によれば、エアコンからの冷風がウイング板２の上面に当たる場合に、ウイング板２の下面が冷却されることが抑制され、この下面に結露を生じ難くすることができる。
【００２２】
支持部材３は、図２によく表われているように、金属製のロッド３０の両端にボール３１ａ，３１ｂが設けられた構成を有している。なお、本願発明でいうボールとは、完全な球状体である必要はなく、後述するような所望の球面摺動作用が得られる形状であればよく、たとえば一部分が切り欠かれた略球状であってもかまわない。支持部材３は、金属製のボール３１ａ，３１ｂにロッド３０を溶接するなどして製作可能である。ロッド３０の長手方向中間部は、一定方向に延びている。これに対し、ロッド３０の両端部近傍は、ロッド３０の中間部に対して略直交する方向に折り曲げられた第１および第２の折曲部３２ａ，３２ｂとなっている。これら第１および第２の折曲部３２ａ，３２ｂの折り曲げ方向は、ロッド３０を挟んで互いに反対方向とされており、またベース部１寄りの第１の折曲部３２ａの寸法ｓ１の方が、ウイング板２寄りの第２の折曲部３２ｂの寸法ｓ２よりも長くされている。
【００２３】
第１および第２の連結部５Ａ，５Ｂは、支持部材３のボール３１ａ，３１ｂがホルダ５０Ａ，５０Ｂによって保持された構造を有している。これら第１および第２の連結部５Ａ，５Ｂの基本構造は同一である。第２の連結部５Ｂの構成をまず説明すると、ホルダ５０Ｂは、図３（ａ），（ｂ）に示すように、合成樹脂製の一対のブロック片５０ａ，５０ｂがボール３１ｂを挟み込むようにして対向し、かつネジ体５１によって締結された構成を有している。一対のブロック片５０ａ，５０ｂのうち、ボール３１ｂの外面に接触する部分は、内面が凹状球面をなす凹部５２として形成されており、この部分とボール３１ｂとは相対的に球面摺動可能である。このことにより、ボール３１ｂをホルダ５０Ｂに保持させたまま、ロッド３０をボール３１ｂの中心点周りに種々の方向に揺動させることが可能となっている。ネジ体５１は、ブロック片５０ａに形成された貫通孔５３ａに挿通するとともに、ブロック片５０ｂに形成されているネジ孔５３ｂに螺合するように構成されている。このような構造とされていることにより、一対のブロック片５０ａ，５０ｂがボール３１ｂを挟み込む力は、ネジ体５１の締めつけ力を加減することによって調整可能となっており、適度な摩擦力をもたせてボール３１ｂをホルダ５０Ｂ内において回転させることができるようになっている。また、ネジ体５１の締めつけ力を強くすることによって、一対のブロック片５０ａ，５０ｂがボール３１ｂを回転不能な程度にまで挟圧する状態とし、ロッド３０をホルダ５０Ｂに対して固定させることも可能である。
【００２４】
ブロック片５０ａ，５０ｂには、これらを組み合わせるときに互いに係合する凸部５４ａと係合用突起５４ｂとが設けられている。このような係合手段を設けておけば、それらの係合作用によって、ブロック片５０ａ，５０ｂが互いに分離しないように対向接触させた状態を維持させることができるために、ネジ体５１によってブロック片５０ａ，５０ｂの締めつけを終了するまでの組み立て作業が容易化される。また、このエアコン用風向調整具Ａの使用時において、仮にネジ体５１の締めつけが緩んだ場合であっても、上記係合作用により、ホルダ５０Ｂが不用意に分解することが防止される。
【００２５】
図４によく表われているように、ウイング板２には、ホルダ用装着部２１が設けられており、この部分にホルダ５０Ｂが固定して装着されている。より具体的には、ホルダ用装着部２１は、ウイング板２の上面に適当な間隔を隔てて設けられた一対の起立壁２１ａと、リブ２０の一部分とによって囲まれた凹部２１ｂを有しており、この凹部２１ｂにホルダ５０Ｂが嵌合されている。各起立壁２１ａの上部には、ホルダ５０Ｂの上方への脱出を防止するようにホルダ５０Ｂの上部に掛止可能な掛止片２１ｃが形成されている。また、ホルダ用装着部２１は、ホルダ５０Ｂがリブ２０とは反対方向に脱出することを防止するためのストッパ片２１ｄも備えており、このような構成によってホルダ５０Ｂの固定が図られるようになっている。なお、各起立壁２１ａは合成樹脂製であるため、適度に弾性変形可能であり、各起立壁２１ａを撓ませることによってホルダ５０Ｂを凹部２１ｂに収容させることが可能である。また、凹部２１ｂからホルダ５０Ｂを取り出す作業も、各起立壁２１ａを撓ませることによって可能である。ホルダ５０Ｂがホルダ用装着部２１に装着されていることにより、支持部材３とウイング板２との連結が図られている。
【００２６】
図５（ａ），（ｂ）に示すように、ベース部１は、合成樹脂製のケース１０にホルダ５０Ａとマグネット６とが組み込まれた構成を有している。ホルダ５０Ａは、ホルダ５０Ｂと同様にブロック片５０ａ，５０ｂをネジ体５１によって締結した構成を有しており、またこのホルダ５０Ａにボール３１ａが保持された構成についても、前述したホルダ５０Ｂにボール３１ｂが保持された構成と同様である。マグネット６は、断面略Ｕ字状の金属製のマグネットホルダ６０に保持された状態で、ケース１０の上部開口部１０ａに嵌入されている。ホルダ５０Ａは、マグネットホルダ６０の下方に位置するようにしてケース１０の空間部１０ｂ内に嵌入されており、空間部１０ｂの下部開口縁に形成された一対の掛止用突起１０ｃに掛止することによって下方への脱落が阻止されている。マグネット６は、ホルダ５０Ａの存在により下方への脱落が阻止されているとともに、マグネットホルダ６０の両端部がケース１０の係合用段部１０ｄに当接していることにより上部開口部１０ａから上方への抜け止めが図られている。一対の掛止用突起１０ｃは、撓み変形可能であり、これら掛止用突起１０ｃを撓ませることにより、ホルダ５０Ａを空間部１０ｂ内に挿入させることが可能となっている。このような構成によれば、図４を参照して説明したホルダ用装着部２１にホルダ５０Ｂを装着する場合と同様に、取り付け用の専用部品や特殊な工具を用いることなく、ケース１０にマグネット６やホルダ５０Ａを簡単に組み付けることができる。
【００２７】
図１および図２において、金属板４は、マグネット６との吸着が可能なものであり、ベース部１の上面部分と略同様な形状および面積を有する薄肉の矩形平板状である。両面接着テープ４０は、金属板４をたとえばエアコンの所望箇所に接着固定させるためのものである。
【００２８】
次に、上記構成のエアコン用風向調整具Ａの作用について説明する。
【００２９】
このエアコン用風向調整具Ａの取り付けに際しては、図２に示すように、まず両面接着テープ４０を用いることにより、金属板４をたとえばエアコン９の下面部９０に接着させる。次いで、この金属板４にベース部１のマグネット６を磁力吸着させる。これにより、ベース部１をエアコン９の下面部９０に対して簡単な作業で取り付けることができる。このような取り付け手段によれば、ベース部１が金属板４に対して着脱自在となるため、エアコン用風向調整具Ａを使用する必要がない場合には、このエアコン用風向調整具Ａをエアコン９から取り外した状態にしておくことができる。金属板４についても、エアコン９から取り外すことが可能であるが、この金属板４は薄肉であり、しかも面積も小さいものにできるために、この金属板４をエアコン９に接着させたままであっても、エアコン９の外観体裁が大きく損なわれるといったことはない。
【００３０】
上記取り付け後には、ウイング板２をエアコン９の送風口９１の正面あるいはその近傍の適所に配置させ、その角度を調整する。支持部材３は、ベース部１に対して第１の連結部５Ａのボール３１ａの中心点を揺動中心として種々の方向に揺動自在であるとともに、ウイング板２は、第２の連結部５Ｂのボール３１ｂの中心点を揺動中心として種々の方向に揺動自在であるために、ウイング板２の位置変更および姿勢変更のいずれにおいてもその自由度は非常に大きくなる。したがって、エアコン９の送風口９１から吹き出される風の向きがユーザの要望に沿うようにウイング板２の位置および姿勢を適切に調整することが可能となる。
【００３１】
支持部材３の第１および第２の折曲部３２ａ，３２ｂは、ベース部１およびウイング板２に対して支持部材３のロッド３０が干渉することを防止するのに役立つ。第１の折曲部３２ａの寸法ｓ１は、比較的長い寸法であるために、たとえば支持部材３をベース部１に干渉させることなく、図２の矢印Ｎａ方向に大きく上昇させるのに役立つ。一方、第２の折曲部３２ｂについては、第２の連結部５Ｂがウイング板２の短手方向の一側縁寄りに偏って設けられていることなどに起因して、その寸法ｓ２をさほど長くしなくても、ウイング板２を大きな角度で種々の方向に揺動させることができる。本実施形態においては、この寸法ｓ２が比較的短くされている分だけ、第１の連結部５Ａから第２の連結部５Ｂに至る支持部材３の全長寸法が短くなっており、このことにより支持部材３によるウイング板２の支持強度の低下が防止されている。
【００３２】
ウイング板２の配置や姿勢が決定され、この配置や姿勢をその後変更する必要が無い場合には、図３を参照して説明したように、ホルダ５０Ａ，５０Ｂのネジ体５１を強く締めつけることにより、ホルダ５０Ａ，５０Ｂに対するボール３１ａ，３１ｂの相対回転が不可能な状態とする。このようにすれば、エアコン９から強い風が吹き出されたり、ウイング板２に物が当たるといったことが生じても、ウイング板２の位置や姿勢が安易に変更されないようにすることができる。
【００３３】
本願発明は、上記実施形態に限定されない。本願発明に係るエアコン用風向調整具の各部の具体的な構成は、種々に設計変更自在である。
【００３４】
たとえは、ベース部は、必ずしもエアコン自体に取り付ける必要はなく、エアコンの近傍の壁などに取り付けてもかまわない。ベース部は、支持部材を介してウイング板を支持するベースとしての役割を果たすものであればよい。したがって、本願発明でいうベース部は、たとえば上記実施形態のケース１０に相当する部材を有することなく、ホルダ５０Ａをベース部として、このホルダ５０Ａをエアコンに取り付けるようにした構成とすることもできる。
【００３５】
本願発明においては、製造の容易化などの観点からすると、上記実施形態のように、支持部材の両端に設けられたボールをベース部やウイング板に取り付けられたホルダによって球面摺動可能に保持させた構成にすることが好ましいが、本願発明においては、これとは反対に、ベース部やウイング板にボールを取り付け、かつボールに対して球面摺動可能にこのボールを保持するホルダを支持部材に取り付けた構成とすることもできる。本願発明でいうボールは、完全な球状である必要がないことは既述したとおりであり、その材質やサイズも問わない。本願発明でいうホルダは、ボールに相対して球面摺動可能であればよく、やはり具体的な構造は限定されない。
【００３６】
ウイング板の具体的な形状やサイズは、とくに限定されるものではない。種々の形状やサイズを有するものを準備しておき、ユーザが適宜選択して使用するようにしてもかまわない。また、１枚のウイング板をそのサイズが適宜変更することができるように複数の部材によって構成し、エアコンの送風口の大きさなどに応じてユーザがウイング板のサイズを適宜調整できるようにしてもかまわない。
【図面の簡単な説明】
【図１】本願発明に係るエアコン用風向調整具の一例を示す斜視図である。
【図２】図１に示すエアコン用風向調整具の断面図である。
【図３】（ａ）は、図１および図２に示すエアコン用風向調整具の第２の連結部を構成するホルダを示す要部斜視図であり、（ｂ）は、その分解斜視図である。
【図４】図１および図２に示すエアコン用風向調整具の支持部材をウイング板に取り付けるための構造を示す要部分解斜視図である。
【図５】（ａ）は、図２のＶ−Ｖ断面図であり、（ｂ）は、その分解断面図である。
【符号の説明】
Ａ  エアコン用風向調整具
１  ベース部
２  ウイング板
３  支持部材
４  金属板
５Ａ  第１の連結部
５Ｂ  第２の連結部
６  マグネット
９  エアコン
３０  ロッド
３１ａ，３１ｂ  ボール
３２ａ  第１の折曲部
３２ｂ  第２の折曲部
５０Ａ，５０Ｂ  ホルダ
５０ａ，５０ｂ  ブロック片
５１  ネジ体
【図１】
2004324951.tif 000003
【図２】
2004324951.tif 000004
【図３】
2004324951.tif 000005
【図４】
2004324951.tif 000006
【図５】
2004324951.tif 000007